(57)【要約】      （修正有）【課題】容器内の飲食材が外部にもれることがなく、携帯に便利であり把手を不要にし、蓋部を指で容易に本体部に締め付け・解放できる蓋付飲料用容器を提供する。【解決手段】蓋付飲料用容器は、全体が透明体で構成され、本体部８、蓋部９、突起片１０、１１を備える。本体部は略円錐状筒体で形成され、内部８Ｃは空洞であり、上方は比較的径長に及び下方は比較的径短に構成されている。本体部の上端８Ａの内壁面８Ｂはその周囲に雌ネジを有している。蓋付飲料用容器は頭部に蓋部９を有し、蓋部は略半球状に形成され、内部は空洞となる殻で構成されている。蓋部の下方には本体部の内壁面の雌ネジに螺合する雄ネジ９Ｄが垂下壁９Ｃの外面に形成されている。【選択図】図２
0003224439.tif 000002
【実用新案登録請求の範囲】
【請求項１】
飲食材を収容する略円錐状筒体又は略円筒状筒体で形成された本体部と、該本体部の上端内壁面に雌ネジ又は該本体部の上端突設面に雄ネジを設け、前記本体部に螺合する雄ネジ又は雌ネジを形成した略半球状又は略円筒状の殻で形成された蓋部とでなる構成に於いて該蓋部の上方表面に左・右２個の突起片を形成してなる蓋付飲料用容器。
【考案の詳細な説明】
【技術分野】
【０００１】
本考案は、飲食店や消費者等で使用するための蓋付飲料用容器に関する。
【背景技術】
【０００２】
この種、従来の技術に於いては図５に示すように飲食用カップが存在する。これについて説明すれば１は、飲食用カップである。２は該飲食用カップ１の本体部である。３は該本体部２の開口部２ａに覆設する蓋である。
そして、本体部２内に各種の飲食用の食品や液状の飲み物、飲料水等飲食材４を収容している。蓋３は飲食材４を収容した後に矢印Ａ方向に向って本体部２の上部を覆設する。本体部２の中には飲料水等飲食材４を充填してある  図中５は本体部２の底面である。６は消費者等使用する者が本体部２を把持する把手である。
【考案の開示】
【考案が解決しようとする課題】
【０００３】
従来は上述した構成であるので本体部２の開口部２ａに止め具等がなく蓋３は本体部２から離脱し易く本体部２内の飲料水等飲食材４を外方にこぼすという問題点があった。従来の飲食用カップ１は比較的小さい形状であるので飲料材４を本体部２内に充填する量が限られていて、消費者にとって不利・不便であった。また、把手６があり、形状が複雑化している。
【課題を解決するための手段】
【０００４】
本考案はかかる問題点を解決するために考案したものである。すなわち請求項１記載の考案によれば、飲食材を収容する略円錐状筒体又は略円筒状筒体で形成された本体部と、該本体部の上端内壁面に雌ネジ又は該本体部の上端突設面に雄ネジを設け、前記本体部に螺合する雄ネジ又は雌ネジを形成した略半球状又は略円筒状の殻で形成された蓋部とでなる構成に於いて該蓋部の上方表面に左・右２個の突起片を形成してなる蓋付飲料用容器でなる構成・手段である。その目的は従来の問題点を解決することにある。
【考案の効果】
【０００５】
本考案に係る蓋付飲料用容器は叙上の構成を有するので、従来の問題点を解決できるという効果がある。つまり容器内の飲食材が外部にもれることがなく、携帯に便利であり把手を不要にしている。そして、蓋部を消費者等の指でもって容易に本体部に締め付け・解放させることができる効果がある。
また、本考案は叙上した構成であるので消費者等取り扱う者が本体部内に飲食材等を収容した後に人差し指及び親指でもって蓋部の突起片を回動することにより容易に本体部の上方を開放・閉止できかつ蓋部が本体部から容易に離脱することがなく持ち運びの際にも飲料用食材等が外部へ漏れることがないという効果がある。さらに、本体部を比較的大型に形成でき飲料用食材を多量に収容できるという効果がある。
【図面の簡単な説明】
【０００６】
【図１】本考案に係る蓋付飲料用容器の実施の形態を示す正面図である。
【図２】図１に示す蓋付飲料用容器の要部を明らかにする拡大斜視図であって（ａ）は蓋部（ｂ）は本体部をそれぞれ示すものである。
【図３】本発明に係る蓋付飲料用容器であってほかの実施例を示す正面図である。
【図４】図３に示す蓋付飲料用容器の要部を明らかにする拡大斜視図であって（ａ）は蓋部（ｂ）は本体部をそれぞれ示すものである。
【図５】従来の飲料用カップを示す斜視図である。
【考案を実施するための形態】
【０００７】
以下、本考案の実施の形態について図面を参照しつつ説明する。
図１及び図２に於いて、７は本考案に係る蓋付飲料用容器であって全体が例えば透明体で構成され円錐状の筒体形状を備えるものである。そして、本体部８、蓋部９、突起片１０、１１を備えている。本体部８は略円錐状筒体で形成され、内部８Ｃは空洞であり、その上方は比較的径長に及びその下方は比較的径短に構成している。該本体部８の上端８Ａの内壁面８Ｂは図２（ｂ）に示すようにその周囲が雌ネジを形成している。
【０００８】
蓋付飲料用容器７の頭部はいわゆる蓋部９であって、全体が略半球状に形成され、内部は空洞となる即ち、略半球状の殻で構成している。そして蓋部９の下方は前記本体部８の内壁面８Ｂの雌ネジに螺合する雄ネジ９Ｄを垂下壁９Ｃの外面に形成している。９Ｂはシール材であって該蓋部９を本体部８にネジ止めした際、密閉性を確保するためにある。９Ａは該シール材９Ｂの上方に形成した径大の鍔である。
【０００９】
そして、１０、１１は上記蓋部９の上方表面の左・右に形成した２個の突起片である。突起体の形状は耳状、角状等種々の形態で構成してもよい。
【００１０】
次に上述した本考案に係る蓋付飲料用容器７の操作等を説明する。消費者等取扱う者は先づ本体部８内に飲料水や飲料用果汁液体等いわゆる飲み物や飲食材を注入する。そして、人差し指Ｆ１と、親指Ｆ２とを突起部１０、１１の表面、裏面に当接し、矢印Ｒ方向に右回転する。このようにして蓋部９を本体部８に締め付け、本体部８の内部８Ｃの上方を閉止する。内部８Ｃを解放するときは逆方向に操作する。図１に於いて９ａは蓋部９の上部に形成された小孔で例えば収容した飲食用材を冷却する際の通気孔である。本体部８の外表面には図示するようにトレードマークを付設してもよい。尚、蓋付飲料用容器７は金属材料や紙材で構成してもよい。
【実施例】
【００１１】
次に本考案に係る蓋付飲料用容器１２の実施例について図３及び図４で説明する。
そして本体部１３の上方は蓋部１４を構成し、該蓋部１４は内壁面に雌ネジ１４Ｂを設け、これに螺合する雄ネジ１３Ｂを本体部１３の突出壁１３Ａの外面に形成している。
そして、１０、１１は上記蓋部１４の上方の表面の左・右に形成した２個の突起片である。
次に上述した本考案に係る蓋付飲料用容器１２の操作等を説明する。消費者等取扱う者は先づ本体部１３内に飲料水や飲料用果汁液体等いわゆる飲み物や飲食材を注入する。そして、人差し指Ｆ１と親指Ｆ２を突起部１０、１１の表面、裏面に当接し、矢印Ｒ方向に回転する。このようにして蓋部１４を本体部１３に締め付け、本体部１３の内部１３Ｃ上方を閉止する。内部１３Ｃの上方を開放するときは逆方向に操作する。
１４Ａは蓋部１４の開口部である。１５は本体部１３の上方に備えた径大のリング状カラーである。そして蓋部１４を閉止したとき該蓋部１４の表面と面一になる。その他の構成は図１、図２のものと略同一であり説明を省略する。
【産業上の利用可能性】
【００１２】
本考案は携帯用としての飲料用容器に広く消費者等に使用されると共に工場での生産性が高く産業発達に寄与し、その利用範囲は広いものである。
【符号の説明】
【００１３】
７        蓋付飲料用容器
８        本体部
８Ａ      上端
８Ｂ      内壁面
８Ｃ      内部
９        蓋部
９ａ      小孔
９Ａ      径大の鍔
９Ｂ      シール材
９Ｃ      垂下壁
９Ｄ      雄ネジ
１０      突起片
１１      突起片
１２      蓋付飲料用容器
１３      本体部
１３Ａ    突出壁
１３Ｂ    雄ネジ
１３Ｃ    内部
１４      蓋部
１４Ａ    開口部
１４Ｂ    雌ネジ
１５      リング状カラー
【図１】
0003224439.tif 000003
【図２】
0003224439.tif 000004
【図３】
0003224439.tif 000005
【図４】
0003224439.tif 000006
【図５】
0003224439.tif 000007